(57)【要約】【課題】複数の照明器具１０の動作を同期させることができる照明器具を提供する。【解決手段】照明器具１０は、光源２７と、無線通信をする通信部２３と、現在時刻を示すタイマ２９と、調光及び調色の少なくとも一つによって特定されるシーンを示すシーン情報、及び、シーン情報が示すシーンを発動すべき時刻を示す発動時刻を記憶している記憶部２５と、タイマ２９が示す現在時刻が発動時刻に達した場合に、シーン情報が示すシーンの態様で光源２７が発光するように光源２７を制御し、かつ、シーン情報及び現在時刻を、通信部２３を介して送信する制御部２１とを備える。【選択図】図３
2018133222.tif 000002
【特許請求の範囲】
【請求項１】
光源と、
無線通信をする通信部と、
現在時刻を示すタイマと、
調光及び調色の少なくとも一つによって特定されるシーンを示すシーン情報、及び、前記シーン情報が示すシーンを発動すべき時刻を示す発動時刻を記憶している記憶部と、
前記タイマが示す現在時刻が前記発動時刻に達した場合に、前記シーン情報が示すシーンの態様で前記光源が発光するように前記光源を制御し、かつ、前記シーン情報及び現在時刻を、前記通信部を介して送信する制御部と
を備える照明器具。
【請求項２】
前記制御部は、前記通信部が他の照明器具からシーン情報及び現在時刻を受信した場合に、受信した前記シーン情報が示すシーンの態様で前記光源が発光するように前記光源を制御し、かつ、受信した前記現在時刻に基づいて前記タイマを調整する
請求項１記載の照明器具。
【請求項３】
前記記憶部は、さらに、所定期間をおいて前記シーンの発動を繰り返すか否かを示す繰り返し情報を記憶しており、
前記制御部は、
前記繰り返し情報が前記シーンの発動を繰り返すことを示している場合に、前記所定期間をおいて、前記シーン情報が示すシーンの態様で前記光源が発光するように前記光源を制御することを繰り返し、
前記タイマが示す現在時刻が前記発動時刻に達した場合に、前記シーン情報及び前記現在時刻に加えて、前記繰り返し情報を、前記通信部を介して送信する
請求項１又は２記載の照明器具。
【請求項４】
前記制御部は、前記通信部が他の照明器具から現在時刻を受信した場合に、受信した前記現在時刻に、所定の経過時間を足し合わせて得られる時間を、前記現在時刻として、前記通信部を介して送信する
請求項１〜３のいずれか１項に記載の照明器具。
【請求項５】
前記制御部は、前記通信部が他の照明器具から第１現在時刻を受信し、その後に第２現在時刻を受信した場合に、前記第１現在時刻に所定の経過時間を足し合わせて得られる第３現在時刻と前記第２現在時刻とのうち、より遅い時刻を示す前記第３現在時刻又は前記第２現在時刻に基づいて前記タイマを調整する
請求項１〜４のいずれか１項に記載の照明器具。
【請求項６】
複数の照明器具を複数のグループに分け、グループの単位で前記複数の照明器具を動作させる照明システムを構成する一つの照明器具であって、
光源と、
無線通信をする通信部と、
現在時刻を示すタイマと、
当該照明器具が属するグループの識別情報と、当該照明器具の設定情報に含まれる、調光及び調色の少なくとも一つによって特定されるシーンを示すシーン情報、及び、前記シーン情報が示すシーンを発動すべき時刻を示す発動時刻とを記憶している記憶部と、
前記タイマが示す現在時刻が前記識別情報に対応するグループについての前記発動時刻に達した場合に、前記識別情報に対応するグループについてのシーン情報が示すシーンの態様で前記光源が発光するように前記光源を制御する制御部と
を備える照明器具。
【請求項７】
前記制御部は、前記識別情報を変更する指示を受けた場合に、前記指示に従って、前記記憶部に記憶されている前記識別情報を変更する
請求項６記載の照明器具。
【発明の詳細な説明】
【技術分野】
【０００１】
本発明は、照明器具に関し、特に、タイマで設定された時刻に他の照明器具を同期させる照明器具に関する。
【背景技術】
【０００２】
従来、照度を変更可能な光源部（光源の一例）と、時間を計測するタイマを有する制御部とを備える照明装置（照明器具の一例）が開示されている（例えば、特許文献１参照）。
【先行技術文献】
【特許文献】
【０００３】
【特許文献１】特開２０１４−８２２１８号公報
【発明の概要】
【発明が解決しようとする課題】
【０００４】
しかしながら、従来の照明器具を複数用いた照明システムを構成する場合では、例えば、端末機を用いてタイマをセットし、これらの照明器具を同時に点灯させようとした場合に、各々の照明器具が有するタイマの時間にバラツキがあるため、これらの照明器具を同時に点灯させることができない場合がある。このため、簡易に複数の照明器具の動作を同期させることができる照明器具が求められている。
【０００５】
そこで、本発明は、複数の照明器具の動作を同期させることができる照明器具を提供することを目的とする。
【課題を解決するための手段】
【０００６】
上記目的を達成するため、本発明の一態様に係る照明器具は、光源と、無線通信をする通信部と、現在時刻を示すタイマと、調光及び調色の少なくとも一つによって特定されるシーンを示すシーン情報、及び、前記シーン情報が示すシーンを発動すべき時刻を示す発動時刻を記憶している記憶部と、前記タイマが示す現在時刻が前記発動時刻に達した場合に、前記シーン情報が示すシーンの態様で前記光源が発光するように前記光源を制御し、かつ、前記シーン情報及び現在時刻を、前記通信部を介して送信する制御部とを備える。
【０００７】
上記目的を達成するため、本発明の一態様に係る照明器具は、複数の照明器具を複数のグループに分け、グループの単位で前記複数の照明器具を動作させる照明システムを構成する一つの照明器具であって、光源と、無線通信をする通信部と、現在時刻を示すタイマと、当該照明器具が属するグループの識別情報と、タイマの設定情報に、調光及び調色の少なくとも一つによって特定されるシーンを示すシーン情報、及び、前記シーン情報が示すシーンを発動すべき時刻を示す発動時刻とを記憶している記憶部と、前記タイマが示す現在時刻が前記識別情報に対応するグループについての前記発動時刻に達した場合に、前記識別情報に対応するグループについてのシーン情報が示すシーンの態様で前記光源が発光するように前記光源を制御する制御部とを備える。
【発明の効果】
【０００８】
本発明によれば、複数の照明器具の動作を同期させることができる。
【図面の簡単な説明】
【０００９】
【図１】図１は、実施の形態１に係る照明システムを示すブロック図である。
【図２】図２は、実施の形態１に係る照明システムを示す模式図である。
【図３】図３は、実施の形態１に係る照明システムにおける照明器具Ａ、照明器具Ｂ及び照明器具Ｃの動作を示すシーケンス図である。
【図４】図４は、実施の形態２に係る照明システムを示す模式図である。
【図５】図５は、実施の形態３に係る照明システムにおける照明器具が属するグループの識別情報を示す図である。
【図６】図６は、実施の形態３に係る照明システムにおける照明器具が属するグループを示す模式図である。
【発明を実施するための形態】
【００１０】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
以下、本発明の実施の形態１に係る照明器具について、図１を用いて説明する。
【００１３】
（実施の形態１）
［構成］
図１は、実施の形態１に係る照明システム１を示すブロック図である。
【００１４】
図１に示すように、照明システム１は、調光及び調色を行うことが可能な照明光を提供するシステムである。照明システム１は、複数の照明器具１０と端末機１１とを備える。複数の照明器具１０及び端末機１１は、無線通信により通信することが可能である。
【００１５】
端末機１１は、照明器具１０に対して、照明器具１０の点灯及び消灯、照明器具１０の点灯状態における調光機能及び調色機能を実行する操作端末である。また、端末機１１は、指定時刻に調光及び調色を実行するスケジュール機能を設定することが可能である。端末機１１は、本実施の形態では、スマートフォンであるが、他の照明器具であってもよく、照明器具１０の専用のコントローラであってもよい。
【００１６】
照明器具１０は、端末機１１から無線で送信されてくる情報に従って点灯、消灯等を行う装置であり、例えば、ＬＥＤ照明器具である。照明器具１０は、例えば、シーリングライト、フロアライト、ラインライト、スポットライト、ペンダント等である。照明器具１０は、明るさを調節する調光機能、色温度を調節する調色機能を有する。各々の照明器具１０は、相互に通信可能である。本実施の形態では、３つの照明器具１０が図示されているが、２つ以下でもよく、４つ以上でもよい。また、照明器具１０の各々の構成は、同様であるためその説明を省略する。
【００１７】
照明器具１０は、タイマ２９と、制御部２１と、通信部２３と、記憶部２５と、光源２７とを有する。
【００１８】
タイマ２９は、現在時刻を示す装置である。タイマ２９は、現在時刻を制御部２１に逐次出力する。なお、タイマ２９は、制御部２１と同一の回路で構成されていてもよい。
【００１９】
制御部２１は、端末機１１から送信された第１の情報を、通信部２３を介して受信し、光源２７等を制御する。ここで、第１の情報には、端末機１１で設定された、複数の照明器具１０の調光及び調色の少なくとも一つによって特定されるシーンを示すシーン情報、シーン情報が示すシーンを発動すべき時刻を示す発動時刻、現在時刻、所定期間をおいてシーンの発動を繰り返すか否かを示す繰り返し情報等が含まれる。制御部２１は、受信した第１の情報を記憶部２５に記憶する。
【００２０】
ここでシーンとは、例えば勉強する照明を行う場合、ＴＶ等を見る照明を行う場合、常夜灯の照明を行う場合、くつろぎを感じる照明を行う場合、団らんの照明を行う場合、消灯等である。
【００２１】
制御部２１は、タイマ２９が示す現在時刻が発動時刻に達した場合に、シーン情報が示すシーンの態様で光源２７が発光するように光源２７を制御し、かつ、シーン情報及び現在時刻を含む第２の情報を、通信部２３を介して他の照明器具１０に送信する。例えば、制御部２１は、タイマ２９から現在時刻を取得し、点灯及び消灯時刻になった場合に、シーン情報及び現在時刻に関する情報等の第２の情報を他の照明器具１０に送信する。照明器具１０は、他の照明器具１０に送信した後にシーンの発動を行う。また、第２の情報を受信した他の照明器具１０も、受信後にシーンの発動を行う。
【００２２】
制御部２１は、繰り返し情報がシーンの発動を繰り返すことを示している場合に、所定期間をおいて、シーン情報が示すシーンの態様で光源２７が発光するように光源２７を制御することを繰り返す。例えば、制御部２１は、１日ごとに発動時刻になれば、シーン情報に基づくシーンで点灯し、所定時間後に消灯する等の動作を繰り返す。つまり、制御部２１は、所定期間をおいてシーンの発動を繰り返すか否かを示す繰り返し設定が行われている場合には、所定期間をおいてシーンの発動を繰り返す。
【００２３】
制御部２１は、タイマ２９が示す現在時刻が発動時刻に達した場合に、シーン情報及び現在時刻に加えて、繰り返し情報を、通信部２３を介して他の照明器具１０に送信する。繰り返し情報は、第２の情報に含まれている。
【００２４】
他の照明器具１０は、照明器具１０から第２の情報を受信した場合に、第２の情報に従って動作が行われる。具体的には、制御部２１は、通信部２３が他の照明器具１０からシーン情報、現在時刻及び繰り返し情報を含む第２の情報を受信した場合に、受信したシーン情報が示すシーンの態様で光源２７が発光するように光源２７を制御し、かつ、受信した現在時刻に基づいてタイマ２９を調整する。
【００２５】
なお、第２の情報を受信した他の照明器具１０は、その他の照明器具１０に第２の情報を送信しなくてもよい。また、第２の情報を受信した他の照明器具１０の制御部２１は、受信した第２の情報を記憶部２５に記憶する。
【００２６】
制御部２１は、複数の照明器具１０のシーン設定を行うシーン情報に従って図示しない駆動回路を制御する。駆動回路は、光源２７に電力を供給する点灯回路である。駆動回路は、交流電力を直流電力に変換するダイオードブリッジ型の整流回路と、ＤＣ−ＤＣコンバータとを有する。なお、駆動回路は、整流回路及びＤＣ−ＤＣコンバータと同等の機能を有する１つのＩＣ（Ｉｎｔｅｇｒａｔｅｄ  Ｃｉｒｃｕｉｔ）で実現されてもよい。
【００２７】
通信部２３は、端末機１１及び他の照明器具１０と無線通信を行う通信装置であり、制御部２１に接続されている。通信部２３は、制御部２１によって第１の情報及び第２の情報を受送信する。
【００２８】
記憶部２５は、第１の情報及び第２の情報に含まれる、シーン情報、発動時刻、繰り返し情報、現在時刻等を記憶している。
【００２９】
記憶部２５は、制御部２１に接続され、第１の情報及び第２の情報を記憶するデータベースである。記憶部２５としては、例えばフラッシュメモリまたはＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの半導体メモリが採用される。なお、記憶部２５は、制御部２１内に設けられてもよい。
【００３０】
光源２７は、電力の供給により光を発する素子である。本実施の形態では、光源２７は、例えば、パッケージ化された表面実装（ＳＭＤ：Ｓｕｒｆａｃｅ  Ｍｏｕｎｔ  Ｄｅｖｉｃｅ）型の白色ＬＥＤ素子である。なお、基板４１上にＬＥＤチップが直接的に実装されたＣＯＢ（Ｃｈｉｐ  Ｏｎ  Ｂｏａｒｄ）型のＬＥＤ素子が用いられる。
【００３１】
［照明システムの動作］
次に、照明システム１における動作について、図２及び図３を用いて説明する。
【００３２】
図２は、実施の形態１に係る照明システム１を示す模式図である。図３は、実施の形態１に係る照明システム１における照明器具Ａ、照明器具Ｂ及び照明器具Ｃの動作を示すシーケンス図である。なお、照明器具Ａ、照明器具Ｂ及び照明器具Ｃは、照明器具１０と同様の構成であるため、図１の構成を用いて説明する。
【００３３】
図１〜図３に示すように、この照明システム１の動作では、照明器具Ａ、照明器具Ｂ及び照明器具Ｃが存在している場合を例に挙げて説明する。照明器具Ａ、照明器具Ｂ及び照明器具Ｃは、本実施の形態の照明器具と同様の器具であってもよく異なっていてもよい。また、照明器具Ａ、照明器具Ｂ及び照明器具Ｃのそれぞれは、タイマ２９の時刻にバラツキがある場合を想定している。また、照明器具Ａのタイマ２９の起動が最も早く、次いで照明器具Ｂのタイマ２９の起動が早く、最後に照明器具Ｃのタイマ２９の起動が最も遅い場合を想定している。
【００３４】
まず、使用者が端末機１１を操作して、シーン情報、発動時刻、現在時刻、繰り返し情報等の情報を照明器具Ａ、照明器具Ｂ及び照明器具Ｃに送信する。
【００３５】
次に、照明器具Ａは、使用者が設定したシーン情報、発動時刻、現在時刻、繰り返し情報等を端末機１１から受信する（Ｓ１）。ステップＳ１が時間軸における照明システム１の設定時に相当する。
【００３６】
次に、照明器具Ａの制御部２１は、発動時刻に関する情報から、シーン情報が示すシーンを発動すべき発動時刻であるか否かを判断する（Ｓ２）。照明器具Ａの制御部２１は、発動時刻でないと判断した場合には、ステップＳ２を繰り返す。また、照明器具Ａの制御部２１は、発動時刻であると判断した場合には、次のステップに進む。ステップＳ２が時間軸における最先の発動時刻に相当する。
【００３７】
次に、照明器具Ａの制御部２１は、他の照明器具（ここでは照明器具Ｂ及び照明器具Ｃ）から第２の情報を受信したか否かを判断する（Ｓ３）。
【００３８】
本シーケンス図では、照明器具Ａが最先の発動時刻であるため、照明器具Ａの制御部２１は、第２の情報を受信していないと判断し（Ｓ３ではＮＯ）、ステップＳ５に進む。
【００３９】
次に、照明器具Ａの制御部２１は、通信部２３を介して第２の情報を他の照明器具に送信し、その後、シーンを発動する。つまり、照明器具Ａの制御部２１は、シーンの態様で光源２７が発光するように光源２７を制御する。
【００４０】
次に、照明器具Ａの制御部２１は、受信した第２の情報を記憶部２５に記憶する（Ｓ６）。
【００４１】
次に、照明器具Ａの制御部２１は、所定期間をおいてシーンの発動を繰り返すか否かを判断する（Ｓ７）。照明器具Ａの制御部２１がシーンの発動を繰り返すと判断した場合（Ｓ７ではＹＥＳ）に、ステップＳ２に戻る。一方、照明器具Ａの制御部２１がシーンの発動を繰り返さないと判断した場合（Ｓ７ではＮＯ）に、このフローは終了する。
【００４２】
なお、照明器具Ａの制御部２１が他の照明器具から第２の情報をすでに受信している場合には、照明器具Ａの制御部２１が備えるタイマ２９の起動が他の照明器具における制御部２１のタイマ２９に比べて遅いと考えられるため、照明器具Ａの制御部２１は、他の照明器具における制御部２１のタイマ２９を、受信した現在時刻に調節する（Ｓ４）。この場合、照明器具Ａの制御部２１は、通信部２３を介して第２の情報を他の照明器具に送信しない。次に、ステップＳ５〜Ｓ７を経て、このフローは終了する。
【００４３】
また、照明器具Ｂ及び照明器具Ｃでも同様に、使用者が設定したシーン情報、発動時刻、現在時刻、繰り返し情報等の情報を端末機１１から受信する（Ｓ１１、Ｓ２１）。ステップＳ１１、Ｓ２１は、時間軸における照明システム１の設定時に相当する。さらに、照明器具Ｂ及び照明器具Ｃの各制御部２１でも同様に、発動時刻に関する情報から、シーン情報が示すシーンを発動すべき発動時刻であるか否かを判断する（Ｓ１２、Ｓ２２）。照明器具Ｂ及び照明器具Ｃの各制御部２１は、発動時刻でないと判断した場合には、ステップＳ１２、Ｓ２２を繰り返す。また、照明器具Ａの制御部２１は、発動時刻であると判断した場合には、次のステップに進む。
【００４４】
照明器具Ａの制御部２１が他の照明器具から第２の情報をすでに受信している場合には、照明器具Ａのタイマ２９の起動が最も早いため、照明器具Ａの制御部２１が照明器具Ｂ及び照明器具Ｃに、通信部２３を介して第２の情報を送信する。照明器具Ａが送信後に、自らのシーンの発動を行う。本シーケンス図では、照明器具Ａのタイマ２９の起動が最も早いため、照明器具Ｂ及び照明器具Ｃの各制御部２１は、通信部２３を介して照明器具Ａから第２の情報を受信する（Ｓ１３、Ｓ２３）。照明器具Ｂ及び照明器具Ｃの各制御部２１のタイマ２９は、照明器具Ａにおける制御部２１のタイマ２９よりも遅いため、照明器具Ａから第２の情報を受信することにより、照明器具Ｂ及び照明器具Ｃの各制御部２１がステップＳ３と同様の判断で、照明器具Ｂ及び照明器具Ｃの各制御部２１が第２の情報を受信したと判断する。照明器具Ｂ及び照明器具Ｃの各制御部２１が第２の情報を、各通信部２３を介して受信すると、照明器具Ｂ及び照明器具Ｃは、シーンの発動を行う（Ｓ１３、Ｓ２３）。つまり、照明器具Ｂ及び照明器具Ｃの各制御部２１は、シーンの態様で光源２７が発光するように光源２７を制御する。
【００４５】
次に、照明器具Ｂ及び照明器具Ｃの各制御部２１は、照明器具Ａから受信した第２の情報に含まれる現在時刻に関する情報に基づいてタイマ２９を調節する（Ｓ１４、Ｓ２４）。
【００４６】
次に、照明器具Ｂ及び照明器具Ｃの各制御部２１は、照明器具Ａから受信した第２の情報を記憶部２５に記憶する（Ｓ１５、Ｓ２５）。
【００４７】
次に、照明器具Ｂ及び照明器具Ｃの各制御部２１は、所定期間をおいてシーンの発動を繰り返すか否かを判断する（Ｓ１６、Ｓ２６）。照明器具Ｂ及び照明器具Ｃの各制御部２１がシーンの発動を繰り返すと判断した場合（Ｓ１６ではＹＥＳ、Ｓ２６ではＹＥＳ）に、ステップＳ１２、Ｓ２２に戻る。一方、照明器具Ｂ及び照明器具Ｃの各制御部２１がシーンの発動を繰り返さないと判断した場合（Ｓ１６ではＮＯ、Ｓ２６ではＮＯ）に、このフローは終了する。
【００４８】
このように、端末機１１による複数の照明器具１０の設定後、複数の照明器具１０の中で最もタイマ２９の起動が早い照明器具の制御部２１が、通信部２３を介して他の照明器具に第２の情報を送信するため、第２の情報を受信した他の照明器具１０が各タイマ２９の現在時刻を調節することができる。このため、複数の照明器具１０の動作を同期させることができる。
【００４９】
［作用効果］
次に、本実施の形態おける照明器具１０の作用効果について説明する。
【００５０】
上述したように、本実施の形態に係る照明器具１０は、光源２７と、無線通信をする通信部２３と、現在時刻を示すタイマ２９と、調光及び調色の少なくとも一つによって特定されるシーンを示すシーン情報、及び、シーン情報が示すシーンを発動すべき時刻を示す発動時刻を記憶している記憶部２５と、タイマ２９が示す現在時刻が発動時刻に達した場合に、シーン情報が示すシーンの態様で光源２７が発光するように光源２７を制御し、かつ、シーン情報及び現在時刻を、通信部２３を介して送信する制御部２１とを備える。
【００５１】
このように、タイマ２９が示す現在時刻が発動時刻に達した場合に、制御部２１は、シーン情報が示すシーンの態様で光源２７が発光するように光源２７を制御し、かつ、シーン情報及び現在時刻を、通信部２３を介して他の照明器具１０に送信する。他の照明器具１０は、シーン情報及び現在時刻を受信することで、現在時刻を調節し、発動時刻にシーン情報が示すシーンを発動する。このため、複数の照明器具１０における制御部２１のタイマ２９の起動にバラツキがあったとしても、シーンを発動すべき時刻に他の照明器具１０を発動させることで、これらの照明器具１０を同時に点灯させることができる。
【００５２】
したがって、複数の照明器具１０の動作を同期させることができる。
【００５３】
特に、端末機１１を介して、複数の照明器具１０を個々に設定することもないため、照明システム１の設定を簡易にすることができる。また、当初に端末機１１を用いて複数の照明器具１０を設定すれば、複数の照明器具１０の間で動作を同期させるため、複数の照明器具１０の操作が簡易になる。
【００５４】
上述したように、本実施の形態に係る照明器具１０において、制御部２１は、通信部２３が他の照明器具１０からシーン情報及び現在時刻を受信した場合に、受信したシーン情報が示すシーンの態様で光源２７が発光するように光源２７を制御し、かつ、受信した現在時刻に基づいてタイマ２９を調整する。
【００５５】
このように、制御部２１は、他の照明器具１０からシーン情報及び現在時刻（第２の情報）を受信した場合に、受信したシーン情報が示すシーンの態様で光源２７が発光するように光源２７を制御し、かつ、受信した現在時刻に基づいてタイマ２９を調整する。このため、複数の照明器具１０における制御部２１のタイマ２９の起動にバラツキがあったとしても、これらの照明器具１０は、他の照明器具１０と同時に点灯することができる。
【００５６】
上述したように、本実施の形態に係る照明器具１０において、記憶部２５は、さらに、所定期間をおいてシーンの発動を繰り返すか否かを示す繰り返し情報を記憶している。また、制御部２１は、繰り返し情報がシーンの発動を繰り返すことを示している場合に、所定期間をおいて、シーン情報が示すシーンの態様で光源２７が発光するように光源２７を制御することを繰り返す。そして、制御部２１は、タイマ２９が示す現在時刻が発動時刻に達した場合に、シーン情報及び現在時刻に加えて、繰り返し情報を、通信部２３を介して送信する。
【００５７】
このように、制御部２１は、繰り返し情報によって、所定期間をおいて、シーン情報が示すシーンの態様で光源２７が発光するように光源２７を制御することを繰り返すため、現在時刻が発動時刻に達した場合に、繰り返し情報、シーン情報及び現在時刻を、通信部２３を介して送信する。このため、一度、発動時刻を設定すれば、所定期間ごとに繰り返し光源２７がシーンの態様で発光するため、照明器具１０の設定を簡易にすることができる。
【００５８】
（実施の形態２）
以下、本実施の形態に係る照明器具１０について説明する。
【００５９】
本実施の形態では、所定の経過時間を照明器具１０の発動時刻に足し合わせて得られた時刻に基づいてタイマ２９を調節する点で実施の形態１と相違する。
【００６０】
この照明器具１０における他の構成は、実施の形態１の照明器具１０と同様であり、同一の構成については同一の符号を付して構成に関する詳細な説明を省略する。このため、照明器具１０におけるブロック図を省略し、図１のブロック図を用いて説明する。
【００６１】
図１に示すように、照明システム１では、照明器具１０の発動時刻を他の照明器具１０の発動時刻と同期させる場合において、第２の情報を複数の照明器具１０にホッピングさせる。
【００６２】
制御部２１は、通信部２３が他の照明器具１０から現在時刻を受信した場合に、受信した現在時刻に、内部経過時間（所定の経過時間の一例）を足し合わせて得られる時間を、現在時刻として（同期信号）、通信部２３を介してさらに別の照明器具１０に送信する。これにより、制御部２１内の処理によって内部経過時間が生じる。つまり、複数の照明器具１０をホッピングさせる場合では、ホップを行った回数に応じた内部経過時間を照明器具１０の発動時刻に足し合わせて得られた時間を、現在時刻として、通信部２３を介して他の照明器具１０に送信する。なお、制御部２１は、ホップの数を示すＴＴＬ（Ｔｉｍｅ  ｔｏ  ｌｉｖｅ）も、通信部２３を介して他の照明器具１０に送信してもよい。
【００６３】
他の照明器具１０の制御部２１は、ホッピングの回数に応じた内部経過時間を照明器具１０の発動時刻に足し合わせて得られた時間（現在時刻）を受信する。他の照明器具１０の制御部２１は、所定の経過時間を照明器具１０の発動時刻に足し合わせて得られた時刻に基づいてタイマ２９を調節する。タイマ２９は、調節された時刻からカウントを開始する。
【００６４】
制御部２１は、通信部２３が他の照明器具１０から第１現在時刻を受信し、その後に第２現在時刻を受信した場合に、第１現在時刻に所定の経過時間を足し合わせて得られる第３現在時刻と第２現在時刻とのうち、より遅い時刻を示す第３現在時刻又は第２現在時刻に基づいてタイマ２９を調整してもよい。この場合における照明システム１の動作について、例をあげて説明する。なお、本実施の形態において、照明システム１における動作は一例であり、この内容に限定されない。
【００６５】
図４は、実施の形態２に係る照明システム１を示す模式図である。図４では、照明器具の一例として照明器具Ａ、照明器具Ｂ及び照明器具Ｃがある。
【００６６】
図４では、端末機１１が照明器具Ａ及び照明器具Ｂに、第１現在時刻（１４：００：００：００）を送信する場合について説明する。照明器具Ｃは、照明器具Ａから各現在時刻を受信する場合を想定する。なお、本実施の形態では、内部経過時間を１．２０秒とし、所定の経過時刻を１．００秒とする。
【００６７】
まず、照明器具Ａの制御部が通信部を介して端末機１１から第１現在時刻（１４：００：００：００）を受信した場合に、照明器具Ａは、第１現在時刻に内部経過時間（１．２０秒）を足し合わせて得られる第２現在時刻（１４：００：０１：２０）を照明器具Ｂ及び照明器具Ｃに送信する。
【００６８】
次に、照明器具Ｂ及び照明器具Ｃは、第２現在時刻（１４：００：０１：２０）を受信する。
【００６９】
ここで、照明器具Ｂの制御部は、通信部を介して端末機１１からすでに第１現在時刻を受信している。照明器具Ｂの制御部が第１現在時刻を受信後、第１現在時刻から内部処理に要する時間（例えば１．００秒）が加算され、第３経過時間（１４：００：０１：００）となる。
【００７０】
照明器具Ｂの制御部は、第３現在時刻又は第２現在時刻に基づいてより遅い時刻を認定し、より遅い時刻に基づいてタイマを調整する。本実施の形態では、第３現在時刻の方が第２現在時刻よりも遅いため、より遅い時刻を示す第３現在時刻に基づいてタイマを調整する。その後、第３現在時刻からタイマがカウントを開始する。
【００７１】
なお、図４では、照明器具Ｂ及び照明器具Ｃ以外に他の照明器具のホッピング先が存在しないため、照明器具Ｂ及び照明器具Ｃの各制御部は、通信部を介して第３現在時刻で点灯を決定するように、第３現在時刻を照明器具Ａに送信し、第３現在時刻に基づいてタイマを調整してもよい。
【００７２】
［作用効果］
次に、本実施の形態おける照明器具１０の作用効果について説明する。
【００７３】
上述したように、本実施の形態に係る照明器具１０において、制御部２１は、通信部２３が他の照明器具１０から現在時刻を受信した場合に、受信した現在時刻に、所定の経過時間を足し合わせて得られる時間を、現在時刻として、通信部２３を介して送信する。
【００７４】
このように、他の照明器具１０から受信した現在時刻に、所定の経過時間を足し合わせて得られる時間を、現在時刻として、制御部２１が通信部２３を介して他の照明器具１０に送信するため、他の照明器具１０の制御部２１は、タイマ２９がカウントする現在時刻よりも遅い時刻である、複数の照明器具１０から受信したこの現在時刻を受信する。そして、他の照明器具１０の制御部２１は、受信したこの時刻を現在時刻とすることができる。このため、複数の照明器具１０の発動時刻を同期させる際に、複数の照明器具１０をホッピングさせても、複数の照明器具１０の発動時刻に遅延が生じ難い。このため、この照明器具１０では、複数の照明器具１０の発動時刻の同期を行うことができる。
【００７５】
このような、本実施の形態に係る照明器具１０において、制御部２１は、通信部２３が他の照明器具１０から第１現在時刻を受信し、その後に第２現在時刻を受信した場合に、第１現在時刻に所定の経過時間を足し合わせて得られる第３現在時刻と第２現在時刻とのうち、より遅い時刻を示す第３現在時刻又は第２現在時刻に基づいてタイマ２９を調整する。
【００７６】
このように、制御部２１は、より遅い時刻を示す第３現在時刻又は第２現在時刻に基づいてタイマ２９を調整するため、複数の照明器具１０から得られたこの現在時刻のうち、より遅い時刻を選択する。このため、複数の照明器具１０の発動時刻を同期させる際に、複数の照明器具１０をホッピングさせても、複数の照明器具１０の発動時刻と同期した動作をすることができる。
【００７７】
本実施の形態における他の作用効果についても、実施の形態１と同様の作用効果を奏する。
【００７８】
（実施の形態３）
以下、本実施の形態に係る照明器具１０について説明する。
【００７９】
本実施の形態では、照明器具１０が属するグループの識別情報が付加されている点で実施の形態１と相違する。
【００８０】
この照明器具における他の構成は、実施の形態１の照明器具と同様であり、同一の構成については同一の符号を付して構成に関する詳細な説明を省略する。
【００８１】
図１に示すように、本実施の形態に係る照明器具１０は、複数の照明器具１０を複数のグループに分け、グループの単位で複数の照明器具１０を動作させる照明システム１を構成する１つの照明器具１０である。つまり、端末機１１等によって、使用者が任意の照明器具１０を選択し、その選択された複数の照明器具１０が１つのグループを構成する。例えば部屋ごと、フロアごとにグループを任意に構成することができる。構成したグループには、他のグループと区別する識別情報が制御部２１によって割り振られる。構成したグループは、制御部２１によって、複数のシーンから選択したシーンと対応付けられる。
【００８２】
調光及び調色の少なくとも一つによって特定されるシーンを示すシーン情報、シーン情報が示すシーンを発動すべき発動時刻は、照明器具１０の設定情報に含まれている。制御部２１は、グループの識別情報に基づく照明器具の制御と、照明器具１０の設定情報とに基づく照明器具の制御とを独立して行うことができる。
【００８３】
制御部２１は、例えば端末機１１から識別情報を変更する指示を受けた場合に、その指示に従って、記憶部２５に記憶されている識別情報を変更する。例えば、グループごとにそれぞれシーンを設定している場合に、グループ内の１つの照明器具を、他のグループに変更する場合に、照明器具１０が属するグループの識別情報、複数のグループのそれぞれについて調光及び調色の少なくとも一つによって特定されるシーンを示すシーン情報、複数のグループのそれぞれについてシーン情報が示すシーンを発動すべき時刻を示す発動時刻等を変更する。こうすることで、グループの変更とともに識別情報が変更されるため、識別情報に関連したシーン情報、発動時刻等が変更される。
【００８４】
制御部２１は、グループの変更により発動時刻等が変更された場合において、タイマ２９が示す現在時刻が識別情報に対応するグループについての発動時刻に達した場合に、識別情報に対応するグループについてのシーン情報が示すシーンの態様で光源２７が発光するように光源２７を制御する。
【００８５】
記憶部２５は、シーン情報、発動時刻、繰り返し情報及び現在時刻の他に、識別情報、シーン情報等を記憶している。
【００８６】
［照明システムのグループ］
照明システムにおける照明器具のグループを変更した場合について、図５及び図６を用いて説明する。
【００８７】
図５は、実施の形態３に係る照明システムにおける照明器具が属するグループの識別情報を示す模式図である。図６は、実施の形態３に係る照明システムにおける照明器具が属するグループを示す模式図である。図６では、グループを二点鎖線で示している。
【００８８】
照明システムにおける当初の設定を、例をあげて説明する。
【００８９】
図５及び図６に示すように、照明システムは、部屋の内部に、照明器具Ａ、照明器具Ｂ及び照明器具Ｃを備える。照明システムでは、グループ１及びグループ２が設定されており、いずれかを選択することができる。
【００９０】
グループ１では、タイマの発動時刻７：００及び発動時刻８：００になると、照明器具が点灯等の動作を行う。グループ２では、タイマの発動時刻９：００になると、照明器具が点灯等の動作を行う。つまり、グループ１とグループ２との発動時刻が異なる。当初の照明システムにおいて、照明器具Ａ及び照明器具Ｂがグループ１に属し、照明器具Ｃがグループ２に属する。
【００９１】
この場合において、端末機を用いて照明器具Ｂのグループ１をグループ２に変更した場合に、照明器具Ｂは、通信部を介して端末機から、照明器具が属するグループの識別情報を受信する。なお、照明器具の設定情報は、データが大きいのでこの時点では送信しない。照明器具の設定情報は、グループの識別情報を送信した後に送信する。
【００９２】
照明器具Ｂの制御部は、識別情報、シーン情報、発動時刻等を記憶部に記憶させる。具体的には、照明器具Ｂの制御部は、照明器具Ｂが属するグループの識別情報を上書きすることでシーン情報、発動時刻等を関連付けて記憶部に記憶させる。こうすることで、グループを変更した場合に、シーン情報及び発動時刻は変更しなくても、自らの設定値を最小限の範囲で書き換えた状態で記憶部に記憶される。
【００９３】
そして、タイマが示す現在時刻が識別情報に対応するグループについての発動時刻に達した場合に、制御部は、識別情報に対応するグループについてのシーン情報が示すシーンの態様で光源が発光するように光源を制御する。
【００９４】
なお、照明システムにおいて、グループの数、発動時刻及び照明器具の数については、一例であり、これらに限定されない。
【００９５】
このような照明器具では、グループの識別情報が発動時刻に対応しているため、例えば照明器具Ｂの当初のグループ１をグループ２に変更した場合に、グループだけが変更されて、時刻が７：００又は８：００になっても、グループが異なるために照明器具Ｂは点灯せず、時刻が９：００になっても発動時刻が７：００及び８：００であるために照明器具Ｂは点灯しないという問題が発生することもない。
【００９６】
［作用効果］
次に、本実施の形態おける照明器具１０の作用効果について説明する。
【００９７】
上述したように、本実施の形態に係る照明器具１０は、複数の照明器具１０を複数のグループに分け、グループの単位で複数の照明器具１０を動作させる照明システム１を構成する一つの照明器具１０である。照明器具１０は、光源２７と、無線通信をする通信部と、現在時刻を示すタイマ２９と、当該照明器具１０が属するグループの識別情報と、当該照明器具１０の設定情報に含まれる、調光及び調色の少なくとも一つによって特定されるシーンを示すシーン情報、及び、シーン情報が示すシーンを発動すべき時刻を示す発動時刻とを記憶している記憶部２５と、タイマ２９が示す現在時刻が識別情報に対応するグループについての発動時刻に達した場合に、識別情報に対応するグループについてのシーン情報が示すシーンの態様で光源２７が発光するように光源２７を制御する制御部２１とを備える。
【００９８】
このように、照明器具１０が属するグループの識別情報と発動時刻とを、制御部２１が関連付けることで、タイマ２９が示す現在時刻が識別情報に対応するグループについての発動時刻に達した場合に、シーン情報が示すシーンの態様で光源２７が発光する。このため、照明システム１のグループ設定を行った後にグループの変更を行うだけで発動するか否かを変更することができる。このため、グループ変更を行った照明器具１０を発動時刻に点灯させることができる。
【００９９】
したがって、照明器具１０は、複数の照明器具１０の動作を同期させることができる。
【０１００】
上述したように、本実施の形態に係る照明器具１０において、制御部２１は、識別情報を変更する指示を受けた場合に、指示に従って、記憶部２５に記憶されている識別情報を変更する。
【０１０１】
このように、制御部２１が指示に従って、記憶部２５に記憶されている識別情報を上書きするため、グループの変更を行っても、シーン情報及び設定時刻は変更されない。しかしながら、タイマの設定に発動するグループ情報を含んでいるため、照明システム１の作動後に、グループの変更を行っても正常に動作することができる。
【０１０２】
本実施の形態における他の作用効果についても、実施の形態１と同様の作用効果を奏する。
【０１０３】
（その他の実施の形態）
以上、実施の形態１〜３について説明したが、本発明は、上記実施の形態１〜３に限定されるものではない。
【０１０４】
例えば、上記実施の形態では、通信部は、ＺｉｇＢｅｅ（登録商標）を用いて通信を行ってもよく、Ｂｌｕｅｔｏｏｔｈ（登録商標）、無線ＬＡＮ（Ｌｏｃａｌ  Ａｒｅａ  Ｎｅｔｗｏｒｋ）等を用いて端末機と通信を行ってもよい。
【０１０５】
また、上記実施の形態では、調光及び調色の少なくとも一つによって特定されるシーンの設定、設定したシーンごとのグループ（実施の形態３）の設定、発動時刻の設定等は任意で選択することができてもよい。
【０１０６】
以上、本発明の一つまたは複数の態様について、実施の形態１〜３に基づいて説明したが、本発明は、この実施の形態１〜３に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【符号の説明】
【０１０７】
１  照明システム
１０  照明器具
２１  制御部
２３  通信部
２５  記憶部
２７  光源
２９  タイマ
【図１】
2018133222.tif 000003
【図２】
2018133222.tif 000004
【図３】
2018133222.tif 000005
【図４】
2018133222.tif 000006
【図５】
2018133222.tif 000007
【図６】
2018133222.tif 000008